(57)【要約】【課題】高さや幅の異なる汎用型装置に対して、その作業対称領域を容易に区画することができる上に、防護装置自体の脱着作業や移設作業も容易に行え、これにより、必要とする点検・補修・増設作業等を迅速かつ安全に行うことができる汎用型装置内通信機器の防護装置を提供すること。【解決手段】通信機器３が上下多段に配列された汎用型装置１の筐体２に対して吊り下げられ、各段の通信機器の少なくとも一部を覆う防護シート６を備えた汎用型装置内通信機器の防護装置であり、防護シート６の巻き取りロール７を収容するケース本体８と、防護シート６を引き出し可能に巻き取る巻き取り機構７１と、ケース本体８の両端側にそれぞれ設けられ、ケース本体を筐体２に吊り下げる吊り装置９とを備える。吊り装置９は、ケース本体の長さ方向に移動可能な構成とした。【選択図】図１
2007267474.tif 000002
【特許請求の範囲】
【請求項１】
通信機器が上下多段に配列された汎用型装置の筐体に対して吊り下げられ、前記各段の通信機器の少なくとも一部を覆う防護シートを備えた汎用型装置内通信機器の防護装置であって、
前記防護シートの巻き取りロールを収容するケース本体と、
前記防護シートを引き出し可能に巻き取る巻き取り機構と、
前記ケース本体の両端側にそれぞれ設けられ、ケース本体を前記筐体に吊り下げる吊り装置とを備え、
前記吊り装置は、ケース本体の長さ方向に相対移動可能に構成されていることを特徴とする、汎用型装置内通信機器の防護装置。
【請求項２】
通信機器が上下多段に配列された汎用型装置の筐体に対して吊り下げられ、前記各段の通信機器の少なくとも一部を覆う防護シートを備えた汎用型装置内通信機器の防護装置であって、
前記筐体に対して、前記上段に配列された通信機器よりも上方位置から吊り下げられる第１の防護装置と、その第１の防護装置よりも下方位置から吊り下げられる第２の防護装置とを備え、
前記第１及び第２の防護装置は、
前記防護シートの巻き取りロールを収容するケース本体と、
前記防護シートを引き出し可能に巻き取る巻き取り機構と、
前記ケース本体の両端側にそれぞれ設けられ、ケース本体を前記筐体に吊り下げる吊り装置とを備え、
前記吊り装置は、ケース本体の長さ方向に相対移動可能に構成されていることを特徴とする、汎用型装置内通信機器の防護装置。
【請求項３】
前記汎用型装置の筐体に着脱自在に装着される本体部と、その本体部に設けられ、前記吊り装置に係合可能なフックとを有する支持具を更に備えたことを特徴とする請求項１又は２に記載の汎用型装置内通信機器の防護装置。
【請求項４】
前記防護シートは静電防止ビニールシートにより形成されていることを特徴とする、請求項１〜３の何れかに記載の汎用型装置内通信機器の防護装置。
【請求項５】
前記防護シートは透明または半透明シートにより形成され、該シートの縁部分には着色部が施されていることを特徴とする、請求項１〜４の何れかに記載の汎用型装置内通信機器の防護装置。
【請求項６】
前記防護シートの巻き取り防止用のロック器具を更に備えていることを特徴とする、請求項１〜５の何れかに記載の汎用型装置内通信機器の防護装置。
【発明の詳細な説明】
【技術分野】
【０００１】
本発明は、通信機器装置等の汎用型装置内通信機器の点検・補修・増設作業等を行う場合に、点検・補修・増設作業等を行わない汎用型装置内の通信機器に誤って接触したことによる誤作動を防止する、汎用型装置内通信機器の防護装置に関するものである。
【背景技術】
【０００２】
従来、図７に示すように、汎用型装置１００内に配列された各段の通信機器１０１〜１０５のうち、例えば３段目の通信機器１０３の点検・補修・増設作業等を行う場合に、点検・補修・増設作業等を行わない他の段の通信機器１０２等に誤って接触したことによる誤作動を防止するため、その通信機器１０１、１０２及び１０４、１０５の前面を図示しないビニールシート等で覆い、それをガムテープ１１０等で汎用型装置１００内に張り付けていた。
【０００３】
この方法では、汎用型装置１００内にビニールシートを張り付けたり、ガムテープ１１０を除去する際に、通信機器のスイッチに接触、子線の引き抜き等の誤動作を生じる場合があった。また、点検・補修・増設作業のたびに、ビニールシートを張り付けたり、ガムテープ１１０を除去する必要があるため作業性の悪いものであった。
【０００４】
特許文献１には、発電所、変電所、開閉所等に設置される制御盤の点検作業を行う場合に、その制御盤に隣接する他の制御盤に作業中誤って接触し、その隣接する制御盤の誤った作動を行うことを防止する制御盤防護装置の技術が開示されている。
【０００５】
この制御盤防護装置は、制御盤の上部に設置した防護本体内に、防護シートを引き出し可能に巻き取った巻き取り機構を設け、防護シートの使用時には防護シートを引き出して制御盤の前面を覆う構成としたものである。
【特許文献１】特開平８−９５２１号公報
【発明の開示】
【発明が解決しようとする課題】
【０００６】
しかしながら、この特許文献１に記載の制御盤防護装置は、防護本体を制御盤の上面に設置して使用する構造であるため、規格化された大きさの制御盤に対しては適用できるものの、高さや幅が異なる他の制御盤に対してはその機能を充分に発揮させることはできず、その場合には結局、上述したようにビニールシートとガムテープとを用いた応急的な処置を採らざるを得ないという問題があった。
【０００７】
さらに、この特許文献１に記載の技術では、汎用型装置内通信機器のように、点検・補修・増設作業等を必要とする通信機器が多段に配列されていて、そのうちのある一段部分について作業を行う場合に、作業に必要な一段部分のみを露出させ、残りの各段については被覆するといった機能（作業領域を区画する機能）を発揮させることはできない問題もあった。
【０００８】
よって、本発明は、高さや幅の異なる汎用型装置に対して、その作業対称領域を容易に区画することができる上に、防護装置自体の脱着作業や移設作業も容易に行え、これにより、必要とする点検・補修・増設作業等を迅速かつ安全に行うことができる汎用型装置内通信機器の防護装置を提供することを課題とする。
【課題を解決するための手段】
【０００９】
前記課題を解決するため、本発明では以下の手段を採用した。
本発明は、通信機器が上下多段に配列された汎用型装置の筐体に対して吊り下げられ、各段の通信機器の少なくとも一部を覆う防護シートを備えた汎用型装置内通信機器の防護装置であって、
防護シートの巻き取りロールを収容するケース本体と、防護シートを引き出し可能に巻き取る巻き取り機構と、ケース本体の両端側にそれぞれ設けられ、ケース本体を筐体に吊り下げる吊り装置とを備え、吊り装置は、ケース本体の長さ方向に移動可能な構成とした。
【００１０】
本発明によれば、ケース本体を筐体に吊り下げる吊り装置を、ケース本体の長さ方向に移動可能に構成したので、防護装置の脱着作業や移設作業を容易に行うことができる。即ち、幅の異なる汎用型装置に対してはケース本体の長さ方向に対する吊り装置のスライド位置を調整するだけで対応可能となり、高さの異なる汎用型装置に対しては筐体に対する吊り装置の上下の装着位置を調整するだけで対応可能となる。さらに、防護シートを引き出して作業対象領域以外の通信機器をその防護シートで覆い、作業対象領域を区画することができる。これにより、必要とする点検・補修・増設作業等を迅速かつ安全に行うことができる。
【００１１】
本発明は、通信機器が上下多段に配列された汎用型装置の筐体に対して吊り下げられ、各段の通信機器の少なくとも一部を覆う防護シートを備えた汎用型装置内通信機器の防護装置であって、
筐体に対して、上段に配列された通信機器よりも上方位置から吊り下げられる第１の防護装置と、その第１の防護装置よりも下方位置から吊り下げられる第２の防護装置とを備え、
第１の防護装置及び第２の防護装置のそれぞれが、防護シートの巻き取りロールを収容するケース本体と、防護シートを引き出し可能に巻き取る巻き取り機構と、ケース本体の両端側にそれぞれ設けられ、ケース本体を筐体に吊り下げる吊り装置とを備え、吊り装置は、ケース本体の長さ方向に移動可能な構成とした。
【００１２】
本発明の防護装置によれば、上段に配列された通信機器よりも上方位置から吊り下げられる第１の防護装置と、その第１の防護装置よりも下方位置から吊り下げられる第２の防護装置とを備えているので、各防護装置の防護シートをそれぞれ引き出して、作業対象領域以外の通信機器を各防護シートでそれぞれ覆い、第１及び第２防護装置の間に位置する通信機器の領域のみを作業対象領域として区画することが可能になる。従って、第２防護装置の筐体に対する吊り下げ位置（上下位置）を調整する操作と、各防護シートの引き出し長さを調整する操作とを行うだけで、通信機器の配列されている各段について任意の段を作業領域として区画することが可能になる。
【００１３】
本発明においては、汎用型装置の筐体に着脱自在に装着される本体部と、その本体部に設けられ、吊り装置に係合可能なフックとを有する支持具を更に備えることが望ましい。吊り装置としては、それ自体を筐体に対して装着あるいは取付自在に構成しても良いが、筐体への装着機能あるいは取付機能を別部材で構成することもできる。そうすれば、筐体を構成する素材や形状等に対応さた支持具を複数種類準備することが可能になる。例えば、筐体の素材が磁性金属である場合には支持具の本体部に磁石を設けた構成とし、非磁性金属の場合には粘着力を利用する構成としてワンタッチ取付タイプとすることができる。さらに、筐体が磁性金属や非磁性金属に限らず、吸盤構造とすることもできる。
【００１４】
本発明において、前記防護シートは静電気による通信機器への影響を防止できる点で、静電防止ビニールシートにより形成されていることが望ましい。さらに、この防護シートは透明または半透明シートにより形成され、該シートの縁部分には着色部が施されている
ことが望ましい。防護シートを透明または半透明シートとすることで、この防護シートを通して筐体内の各段の通信機器を確認することができるからである。また、防護シートの縁部分に着色部を施すことで、作業者への警告線として機能させることができるからである。
【００１５】
本発明においては、前記防護シートが不用意に巻き戻らないようにするために、その防護シートの巻き取り防止用のロック器具を更に備えていることが望ましい。これにより、防護シートとしての機能を更に高めることができる。
【発明の効果】
【００１６】
本発明に係る汎用型装置内通信機器の防護装置によれば、高さや幅の異なる汎用型装置に対して、その作業対称領域を容易に区画することができる上に、防護装置自体の脱着作業も容易に行え、これにより、必要とする点検・補修・増設作業等を迅速かつ安全に行うことができる。
【発明を実施するための最良の形態】
【００１７】
以下、本発明の好適な実施例について、図面を参照して説明する。
図１は、本発明の実施例に係る防護装置の使用状態を示す概略正面図である。図２は同実施例に係る防護装置の正面図であり、図３はその防護シートを巻き取った状態を示す図である。図４は同実施例に係る防護装置のケース本体と吊り装置を示す図であり、図５は吊り装置と巻き取り機構を示す概略説明図である。
【００１８】
図１に示すように、汎用型装置１の筐体２の内部には、情報伝送の目的に応じた交換機等の通信機器３が設置されている。通信機器３は、この実施例では、上から１段目の通信機器３１、２段目の通信機器３２、今回作業箇所となる３段目の通信機器３３、その下の４段目の通信機器３４、最下段となる５段目の通信機器３５の上下５段に配列されている。
【００１９】
防護装置５は、このように通信機器３が上下多段に配列された汎用型装置１の筐体２に対して吊り下げられ、各段の通信機器３１〜３５の少なくとも一部を覆う防護シート６を備えている。但しこの実施例では、筐体２に対して、最上段に配列された通信機器３１よりも上方位置から吊り下げられる第１の防護装置５Ａと、その第１の防護装置５Ａよりも下方位置から吊り下げられる第２の防護装置５Ｂとを備えている。
【００２０】
そして、第１の防護装置５Ａ及び第２の防護装置５Ｂのそれぞれが、防護シート６の巻き取りロール７（図５参照）を収容するケース本体８と、防護シート６を引き出し可能に巻き取る巻き取り機構７１と、ケース本体８の両端側にそれぞれ設けられ、ケース本体８を筐体２に吊り下げる吊り装置９とを備えている。即ち、第１の防護装置５Ａ及び第２の防護装置５Ｂはいわゆるロールカーテン構造となっている。
【００２１】
ケース本体８は筐体２の幅よりも短く形成されていて、その内部８１には巻き取りロール７が回転自在に収容されている。巻き取りロール７の巻き取り機構７１には、ロールカーテンで採用されているような、ねじりコイルバネの弾発力を利用して、そのねじりコイルバネの付勢力の蓄積と開放復元とにより、防護シート６の引出伸張および巻取収納を行うことができ、かつ、防護シート６の引き出し長さを調整できるストッパ内蔵型の機構が採用されている。
【００２２】
吊り装置９は、ケース本体８側に設けられた、長孔９１ａ付きのＬ形の引っ掛け金具９１と、筐体２側に装着される支持具９２とを備えている。引っ掛け金具９１は、図３及び図４に示すように、ケース本体８の上面に設けられた溝状のレール９ｃに沿ってその長さ
方向にスライド移動可能に構成されている。この引っ掛け金具９１とケース本体８との間には、引っ掛け金具９１のスライド位置を任意に調整可能にするためのロック解除ボタン９１ｂ付きのロック機構が設けられている。
【００２３】
支持具９２は、鉄などの金属製筐体２の左右のフレーム材あるいは左右の側板の内面２ａに着脱自在に装着される本体部９２ａと、その本体部９２ａに設けられ、引っ掛け金具９１の長孔９１ａに係合可能なフック９２ｂとを有している（図６参照）。本体部９２ａには磁石が設けられていて、内面２ａに着脱自在に装着することができる。なお、本体部９２ａは、粘着力を利用した構造、あるいは吸盤構造としてもよい。
【００２４】
防護シート６は静電気による通信機器３への影響を防止できるように静電防止ビニールシートにより形成されている。例えば、図２に示すように、メッシュ状に編まれた導電性線状体６ａをビニールシートで被覆したものなどが用いられている。この防護シート６は、防護シート６を通して筐体２内の各段の通信機器３を確認することができるように、透明または半透明に形成されている。さらに、この防護シート６の縁部分には、作業者への警告線として機能させるために、赤色あるいは黄色に着色した着色部６１が施されている。
【００２５】
防護シート６の下部にはアンダーバー６２が設けられ、そのアンダーバー６２には、防護シート６を引き出す際に利用するつまみ部６３が設けられている。この防護シート６の両側であって、ケース本体８との間には、防護シート６が不用意に巻き戻らないようにするために、その防護シート６の巻き取り防止用のロック器具１０が装着されている。このロック器具１０としては、例えば書類を束ねて挟むクリップや洗濯挟みなどを使用しても良いし、専用のクリップを作成して用いてもよい。
【００２６】
この実施例の防護装置によれば、ケース本体８を筐体２に吊り下げる吊り装置９を、ケース本体８の長さ方向に移動可能に構成したので、幅の異なる汎用型装置に対しては、ロック解除ボタン９１ｂを押してケース本体８の長さ方向に対する吊り装置９のスライド位置を調整するだけで対応することができる。また、高さの異なる汎用型装置に対しては筐体２に対する支持具９２の上下の装着位置を調整するだけで対応することができる。
【００２７】
さらに、この実施例によれば、上段に配列された通信機器３１よりも上方位置から吊り下げる第１の防護装置５Ａと、その第１の防護装置５Ａよりも下方位置から吊り下げる第２の防護装置５Ｂとを備えているので、図１に示すように、各防護装置の防護シート６をそれぞれ引き出して、今回の作業対象領域である通信機器３３以外の通信機器を各防護シート６でそれぞれ覆い、第１の防護装置５Ａと第２の防護装置５Ｂの間に位置する通信機器３３の領域みを作業対象領域として区画することができる。
【００２８】
従って、支持具９２の筐体２への装着位置を変えて、第２の防護装置５Ｂの筐体２に対する吊り下げ位置（上下位置）を調整する操作と、各防護シート６の引き出し長さを調整する操作とを行うだけで、各段に配列されている通信機器３１〜３５について任意の段の通信機器のみを区画することが可能になる。
【００２９】
なお、実施例においては、防護装置を二つ用いた例を示したが、一つ用いた場合でも、幅の異なる汎用型装置内通信機器の防護装置としての機能を十分に発揮させることができる。
【図面の簡単な説明】
【００３０】
【図１】本発明の実施例に係る防護装置の使用状態を示す概略正面図である。
【図２】同実施例に係る防護装置の正面図である。
【図３】同実施例に係る防護装置の防護シートを巻き取った状態を示す図で、（ａ）は正面図、（ｂ）は側面図である
【図４】同実施例に係る防護装置のケース本体と吊り装置を示す図で、（ａ）は平面図、（ｂ）は正面図である。
【図５】同実施例に係る防護装置の吊り装置の概略構成図である。
【図６】同実施例に係る防護装置の支持具の概略構成図である。
【図７】従来例を示す正面図である。
【符号の説明】
【００３１】
１  通信機器汎用型装置
２  筐体
２ａ  内面
３（３１、３２、３３、３４、３５）  通信機器
５  防護装置
５Ａ  第１の防護装置
５Ｂ  第２の防護装置
６  防護シート
６２  アンダーバー
７  巻き取りロール
７１  巻き取り機構
８  本体ケース
９  吊り装置
９１  引っ掛け金具
９２  支持具
１０  ロック器具
【図１】
2007267474.tif 000003
【図２】
2007267474.tif 000004
【図３】
2007267474.tif 000005
【図４】
2007267474.tif 000006
【図５】
2007267474.tif 000007
【図６】
2007267474.tif 000008
【図７】
2007267474.tif 000009